(57)【要約】      （修正有）【課題】教学または訓練課程を即時に実況中継でき、且つ中継終了後に自動的に実況中継を録画ファイルに転換して、ファイルを指定されるネットワーク・アドレスに配置し、それををクリックすることによって閲覧できるようにする。【解決手段】映像と音声とを混合及び特効処理するためのＳＮＧ映像音声特効ホスト・マシンと、映像音声データを受信し、デジタル映像音声データを自動的にファイルに転換するネットワーク中継エンコーダと、プレゼンテーションソフトウェアとデジタル電子ホワイト・ボードとコンピュータ・モニタ出力インターフェースとを含み、プレゼンテーションソフトウェア，ワードプロセッサ，ＨＴＭＬ、或いは電子ホワイト・ボードと結合し、ネットワーク実況中継機能とＶＯＤ記憶機能とファイル・データ管理機能とを提供する映像音声サーバとを有する、ＳＮＧネットワークアクティブスタジオシステムを提供する。【選択図】図１
2004336364.tif 000002
【特許請求の範囲】
【請求項１】
ＳＮＧ映像音声特効ホスト・マシンの映像音声入力装置が映像信号と音声信号を受信するステップ１と、
ＳＮＧ映像音声特効ホスト・マシンの受信した映像信号と音声信号とを映像受信手段と音声受信手段とデジタル特効手段によってファイル・データになるように処理整合するステップ２と、
前記ＳＮＧ映像音声特効ホスト・マシンが処理終了後のファイル・データを出力装置を介してネットワーク中継エンコーダへ送信するステップ３と、
前記ネットワーク中継エンコーダとしてメディア・プロデューサー（Ｍｅｄｉａ  Ｐｒｏｄｕｃｅｒ）・ソフトを使用し、受信したファイル・データをオートマチック・フロー・コントロール・プログラムによって処理するステップ４と、
前記オートマチック・フロー・コントロール・プログラムがファイル・データを映像音声報告及びデジタル電子ホワイト・ボード同期コントロール・プログラムへ送信するステップ５と、
映像音声報告及びデジタル電子ホワイト・ボード同期コントロール・プログラムを介してプレゼンテーションソフトウェア、ワードプロセッサ、ＨＴＭＬ、或いは電子ホワイト・ボードなどと合わせてファイル・データ内容を整合するステップ６と、
前記オートマチック・フロー・コントロール・プログラムが出来上がったファイル・データを圧縮プログラムによって自動的にデジタル映像音声ファイルになるように転換すると共に、映像音声サーバへ送信するステップ７と、
前記映像音声サーバが受信したファイル・データに基づいて同期の方式によって閲覧端と即刻な実況放送を実行するステップ８と、
前記映像音声サーバが放送終了後のファイル・データを実況転換時の使用端の各種のコマンドと注記とを整合すると共に、記憶し、且つ自動的にＶＯＤに転換するステップ９と、
閲覧者がネットワーク上で、映像音声サーバを介してネットワークへ出力すると共に、ファイルをクリックして閲覧することができるステップ１０とを少なくとも有することを特徴とする、ＳＮＧネットワーク・アクティブ・スタジオの生放送方法。
【請求項２】
前記ＳＮＧネットワーク・アクティブ・スタジオの生放送方法のステップ９において、前記映像音声サーバが放送終了後のファイル・データを実況転換時の使用端の各種のコマンドと注記とを整合すると共に、記憶し、且つ自動的にＶＯＤに転換し、そのうち、前記コマンドがスクリプト（Ｓｃｒｉｐｔ）プログラムであることを特徴とする、請求項１に記載のＳＮＧネットワーク・アクティブ・スタジオの生放送方法。
【請求項３】
前記ＳＮＧネットワーク・アクティブ・スタジオの生放送方法のステップ９において、前記映像音声サーバが放送終了後のファイル・データを実況転換時の使用端の各種のコマンドと注記とを整合すると共に、記憶し、且つ自動的にＶＯＤに転換し、そのうち、前記注記がマーカー（Ｍａｒｋｅｒ）プログラムであることを特徴とする、請求項１に記載のＳＮＧネットワーク・アクティブ・スタジオの生放送方法。
【請求項４】
映像と音声とを混合及び特効処理するためのＳＮＧ映像音声特効ホスト・マシンと、
メディア・プロデューサー（Ｍｅｄｉａ  Ｐｒｏｄｕｃｅｒ）・ソフトを応用し、ＳＮＧ映像音声特効ホスト・マシンからの映像音声データを受信し、且つオートマチック・フロー・コントロール・プログラムを介して出来上がったデジタル映像音声データを自動的にデジタル映像音声ファイルに転換するネットワーク中継エンコーダと、
プレゼンテーションソフトウェア・アプリケーションとデジタル電子ホワイト・ボード・アプリケーションとコンピュータ・モニタ出力インターフェースとを含み、オートマチック・フロー・コントロール・プログラムのフローにおいてプレゼンテーションソフトウェア、ワードプロセッサ、ＨＴＭＬ、或いは電子ホワイト・ボードとを結合することによってファイル整合データを作る映像音声報告及び電子ホワイト・ボード同期コントロール・プログラムと、
ウェブ・サーバ（Ｗｅｂ  Ｓｅｒｖｅｒ）・ファイル・データ管理サーバとメディア・サーバ（Ｍｅｄｉａ  Ｓｅｒｖｅｒ）映像音声中継サーバとを含み、映像音声報告及び電子ホワイト・ボード同期コントロール・プログラムからの信号を受信し、且つネットワーク実況中継機能とＶＯＤ記憶機能とファイル・データ管理機能とを提供する映像音声サーバとを有することを特徴とする、ＳＮＧネットワーク・アクティブ・スタジオ・システム。
【請求項５】
前記中継エンコーダはＳＮＧ映像音声特効ホスト・マシンからの映像音声データを受信すると共に、オートマチック・フロー・コントロール・プログラムを介して出来上がったデジタル映像音声データを自動的にＭＰＥＧ４に転換することを特徴とする、請求項４に記載のＳＮＧネットワーク・アクティブ・スタジオ・システム。
【請求項６】
映像音声報告及び電子ホワイト・ボード同期コントロール・プログラムの電子ホワイト・ボードはファイル・データが同期的に放送される場合にワードプロセッサ或いはプレゼンテーションソフトウェアのアプリケーション・インターフェースに切り替えられ、ヒントを出すことに利用できることを特徴とする、請求項４に記載のＳＮＧネットワーク・アクティブ・スタジオ・システム。
【請求項７】
前記映像音声報告及び電子ホワイト・ボード同期コントロール・プログラムのＶＯＤは、ファイル・データの同期的放送時にファイル・データと現場操作コマンドと注記点を全部レコーディングして記憶してから放送終了後にそれらを記憶すると共に、自動的にＶＯＤに転換することを特徴とする、請求項４に記載のＳＮＧネットワーク・アクティブ・スタジオ・システム。
【請求項８】
前記ＳＮＧ映像音声特効ホスト・マシンには、
映像入力装置と音声入力装置とを備える映像音声入力装置と、
映像受信手段と音声受信手段とデジタル特効及び切換コントロール手段を有し、映像音声入力装置からのデータを受信し、映像と音声とを整合してからデジタル映像音声データになるように転換するＳＮＧ特効ホスト・マシンと、
ＳＮＧ特効ホスト・マシンの処理終了後のデータを出力装置を介してネットワーク中継エンコーダへ送信するか、記憶してバックアップする出力装置を具備することを特徴とする、請求項４に記載のＳＮＧネットワーク・アクティブ・スタジオ・システム。
【請求項９】
前記映像入力装置は二セットのＡＶ端子と二セットのＳ端子からなることを特徴とする、請求項８に記載のＳＮＧネットワーク・アクティブ・スタジオ・システム。
【請求項１０】
前記音声入力装置は三セットの音声入力手段、即ちＳｏｕｒｃｅ，ＡＵＸ，ＭＩＣからなることを特徴とする、請求項８に記載のＳＮＧネットワーク・アクティブ・スタジオ・システム。
【請求項１１】
前記入力装置はＩＥＥＥ１９３４仕様に該当することを特徴とする、請求項８に記載のＳＮＧネットワーク・アクティブ・スタジオ・システム。
【請求項１２】
前記出力装置はＡＶ端子であり、映像音声ファイル・データをビデオ・テープにレコーディングすることを特徴とする、請求項８に記載のＳＮＧネットワーク・アクティブ・スタジオ・システム。
【請求項１３】
前記出力装置はＵＳＢインターフェースであると共に、コンピュータに対し出力して記憶することを特徴とする、請求項８に記載のＳＮＧネットワーク・アクティブ・スタジオ・システム。
【請求項１４】
前記出力装置はＩＥＥＥ１３９４であると共に、コンピュータに対し出力して記憶することを特徴とする、請求項８に記載のＳＮＧネットワーク・アクティブ・スタジオ・システム。
【発明の詳細な説明】
【０００１】
【発明の属する技術分野】
本発明は、ＳＮＧ（Ｓａｔｅｌｌｉｔｅ  Ｎｅｗｓ  Ｇａｔｈｅｒｉｎｇ）ネットワーク・アクティブ・スタジオの生放送方法及びそのシステムに係わり、特にＳＮＧ映像音声特効ホスト・マシンとネットワーク中継エンコーダと映像音声報告及びデジタル電子ホワイト・ボード同期コントロール・プログラムと映像音声サーバとからなり、映像と音声と報告内容とを結合し、且つネットワークにおいて同期または非同期の放送を実行し、操作が簡単で携帯に便利であるＳＮＧネットワーク・アクティブ・スタジオの生放送方法及びそのシステムに関するものである。
【０００２】
【従来の技術及びその課題】
従来の学習慣習においては、学習者は問題を出すとクラスメートの嘲笑やコンプレーントなどを招くことがしばしばあるので、多くの学習者は問題を出したがらなくなり、学習障害を生じるようになる。従来の遠距離教学の場合では、大体は一方向送信であり、即ち学習者は単にフィルムを見ることしかできなく、先生とインターアクトできなく、学習の動力の低下を招き、また、学習者は群衆学習を介して学習効果を自己評価できなく、学習実績を劣らせることがある。
【０００３】
また、教学や課程訓練などをネットワークにおいて即時の実況中継により実行しようとする場合、即ち、同期教学または課程訓練を実行しようとする場合、ユーザーはデジタル教学経験とコンピュータまたはネットワークに関するプロの知識を具備していなければならないと共に、映像音声制作または特効などの関連技術を有していなければならず、一つの課程を習得するには多くの人力と多くの時間を掛けて制作アレンジをしなければならなく、経済的効率が劣っている。
【０００４】
前記の説明から分かるように、従来技術は多くの課題を有し、良好的なデザインでなく、至極速やかに改善される必要がある。本発明の発明者は前記の従来技術のそれぞれの課題に鑑みて、研究開発を進めると共に、学術の運用を合わせて極めた結果、とうとう本発明のＳＮＧネットワーク・アクティブ・スタジオの生放送方法及びそのシステムを提出するに至った。
【０００５】
【発明の目的】
本発明は、教学または訓練課程をネットワークにおいて即時の実況中継により実行でき、即ち同期教学または課程訓練を実行でき、且つ中継終了後に自動的に実況中継を録画ファイル（ＶＯＤ，Ｖｉｄｅｏ  Ｏｎ  Ｄｅｍａｎｄ）に転換すると共に、ファイル・データを指定されるネットワーク・アドレスに配置し、閲覧者にその教学または訓練課程をクリックすることによって閲覧できるようにする、ＳＮＧネットワーク・アクティブ・スタジオの生放送方法及びそのシステムを提供することをその主要な目的とする。
【０００６】
また、本発明は、簡素化と操作しやすいことと携帯に便利であることを本システムのポイントとし、ネットワークやネットワーク・ウェブ・サイト架設やＦＴＰなどを学習する必要はなく、単にいくつかのスペースに文字を入力するか、いくつかのボタンを押せば、気軽に教学または訓練課程についてネットワークを介して遠距離教学または訓練を実行できるＳＮＧネットワーク・アクティブ・スタジオの生放送方法及びそのシステムを提供することをその次の目的とする。
【０００７】
また、本発明は、ユーザーがいつでも本システムを利用でき、単に現有の撮影装置とパソコンとネットワーク・コードと再生装置などの教学訓練設備などを結合すれば、直ちにネットワーク・オンライン教学または訓練の目的を図れるＳＮＧネットワーク・アクティブ・スタジオの生放送方法及びそのシステムを提供することをその他の目的とする。
【０００８】
また、本発明は、従来のテレビ局の大型のスタジオの主要な機能を本システムに濃縮し、ＳＮＧ映像音声特効ホスト・マシンのボタンまたはジョイ・スディックを介してテレビ局のスタジオのような中継及び特効機能を実現できると共に、即時にデジタル信号を出力できることを特徴とするＳＮＧネットワーク・アクティブ・スタジオの生放送方法及びそのシステムを提供することをその他の目的とする。
【０００９】
また、本発明は、環境の影響を問わず、いつでもＳＮＧネットワーク・アクティブ・スタジオの生放送方法及びそのシステムを提供でき、ユーザーが現有の撮影装置とパソコンとネットワーク・システムなどの設備を結合することによって遠方教学や訓練課程や遠方会議放送やネットワーク・ミーティングなどの機能を提供できる、ＳＮＧネットワーク・アクティブ・スタジオの生放送方法及びそのシステムを提供することをその他の目的とする。
【００１０】
前記の目的を図るために、本発明は、ＳＮＧ（Ｓａｔｅｌｌｉｔｅ  ＮｅｗｓＧａｔｈｅｒｉｎｇ）映像音声特効ホスト・マシンの映像音声入力装置が映像信号と音声信号を受信するステップ１と、ＳＮＧ映像音声特効ホスト・マシンの受信した映像信号と音声信号とを映像受信手段と音声受信手段とデジタル特効手段によってファイル・データになるように処理整合するステップ２と、前記ＳＮＧ映像音声特効ホスト・マシンが処理終了後のファイル・データを出力装置を介してネットワーク中継エンコーダへ送信するステップ３と、前記ネットワーク中継エンコーダとしてメディア・プロデューサー（Ｍｅｄｉａ  Ｐｒｏｄｕｃｅｒ）・ソフトを使用し、受信したファイル・データをオートマチック・フロー・コントロール・プログラムによって処理するステップ４と、前記オートマチック・フロー・コントロール・プログラムがファイル・データを映像音声報告及びデジタル電子ホワイト・ボード同期コントロール・プログラムへ送信するステップ５と、映像音声報告及びデジタル電子ホワイト・ボード同期コントロール・プログラムを介してプレゼンテーションソフトウェア、ワードプロセッサ、ＨＴＭＬ、或いは電子ホワイト・ボードなどと合わせてファイル・データ内容を整合するステップ６と、前記オートマック・フロー・コントロール・プログラムが出来上がったファイル・データを圧縮プログラムによって自動的にデジタル映像音声ファイルになるように転換すると共に、映像音声サーバへ送信するステップ７と、前記映像音声サーバが受信したファイル・データに基づいて同期の方式によって閲覧端と即刻な実況放送を実行するステップ８と、前記映像音声サーバが放送終了後のファイル・データを実況転換時の使用端の各種のコマンドと注記とを整合すると共に、記憶し、且つ自動的にＶＯＤに転換するステップ９と、閲覧者がネットワーク上で、映像音声サーバを介してネットワークへ出力すると共に、ファイルをクリックして閲覧することができるステップ１０とを少なくとも有する、ＳＮＧネットワーク・アクティブ・スタジオの生放送方法を提供する。
【００１１】
また、前記の目的を図るために、本発明は、映像と音声とを混合及び特効処理するためのＳＮＧ映像音声特効ホスト・マシンと、メディア・プロデューサー（Ｍｅｄｉａ  Ｐｒｏｄｕｃｅｒ）・ソフトを応用し、ＳＮＧ映像音声特効ホスト・マシンからの映像音声データを受信し、且つオートマチック・フロー・コントロール・プログラムを介して出来上がったデジタル映像音声データを自動的にデジタル映像音声ファイルに転換するネットワーク中継エンコーダと、プレゼンテーションソフトウェア・アプリケーションとデジタル電子ホワイト・ボード・アプリケーションとコンピュータ・モニタ出力インターフェースとを含み、オートマチック・フロー・コントロール・プログラムのフローにおいてプレゼンテーションソフトウェア、ワードプロセッサ、ＨＴＭＬ、或いは電子ホワイト・ボードとを結合することによってファイル整合データを作る映像音声報告及び電子ホワイト・ボード同期コントロール・プログラムと、ウェブ・サーバ（Ｗｅｂ  Ｓｅｒｖｅｒ）・ファイル・データ管理サーバとメディア・サーバ（Ｍｅｄｉａ  Ｓｅｖｅｒ）映像音声中継サーバとを含み、映像音声報告及び電子ホワイト・ボード同期コントロール・プログラムからの信号を受信し、且つネットワーク実況中継機能とＶＯＤ記憶機能とファイル・データ管理機能とを提供する映像音声サーバとを有する、ＳＮＧネットワークアクティブスタジオシステムを提供する。
【００１２】
【作用】
本発明によるＳＮＧネットワーク・アクティブ・スタジオの生放送方法及びそのシステムは、ＳＮＧ映像音声特効ホスト・マシンによって映像及び音声データを受信すると共に、映像受信手段と音声受信手段とデジタル特効手段の処理を受ける後、そのデータを記憶するか、それをネットワーク中継エンコーダに送信し、そのうち、前記ネットワーク中継エンコーダはメディア・プロデューサー（Ｍｅｄｉａ  Ｐｒｏｄｕｃｅｒ）・ソフトを応用し、且つオートマチック・フロー・コントロール・プログラムと映像音声報告及び電子ホワイト・ボード同期コントロール・プログラムとを有し、そのうち、前記オートマチック・フロー・コントロール・プログラムは映像音声報告及び電子ホワイト・ボード同期コントロール・プログラムを介してプレゼンテーションソフトウェア、ワードプロセッサ、ＨＴＭＬ、或いはデジタル電子ホワイト・ボードとコンピュータ・モニタ出力インターフェースと結合することによってファイル・データを整合し、それから出来上がったファイル・データを自動的にデジタル映像音声ファイルになるように転換し、映像音声サーバへ送信し、また、当該映像音声サーバにはウェブ・サーバ（Ｗｅｂ  Ｓｅｒｖｅｒ）・ファイル・データ管理サーバとメディア・サーバ（Ｍｅｄｉａ  Ｓｅｖｅｒ）映像音声中継サーバとを含み、前記映像音声サーバがネットワーク中継エンコーダからのファイル・データを受信し、ネットワーク実況中継機能を提供できると共に、ネットワーク実況中継終了後に自動的にＶＯＤに転換し且つ記憶し、閲覧者は自分でネットワーク上でそのファイル・データの完璧な内容を閲覧できるようになる。
【００１３】
以下に添付図面を参照しながら本発明の好適な実施の形態を詳細的に説明する。
【００１４】
【発明の実施の形態】
図１に示すように、本発明によるＳＮＧ（Ｓａｔｅｌｌｉｔｅ  Ｎｅｗｓ  Ｇａｔｈｅｒｉｎｇ）ネットワーク・アクティブ・スタジオ・システムには、主に、ＳＮＧ映像音声特効ホスト・マシン２を有し、その中には映像音声入力装置１と、映像受信手段２１と、音声受信手段２２とを有し、当該ＳＮＧ映像音声特効ホスト・マシン２が映像音声入力装置１からの映像及び音声とを受け取り、前記映像音声入力装置１には映像入力装置１Ａと音声入力装置１Ｂとを含み、前記映像音声入力装置１の映像音声入力端子１１としてＡＶ端子やＳ端子やＩＥＥＥ１９３４仕様またはコードレス受信などの方式によって受信でき、且つ撮影装置とプロジェクターと再生・録画装置とＶＣＤ再生装置とＤＶＤ再生装置とＣＤプレーヤーと顕微鏡などから映像と音声とを受け取ることができると共に、ＳＮＧ映像音声特効ホスト・マシン２の映像及び音声の処理を受ける後に、デジタル特効２３を加入してその効果を取得後に、出力インターフェース２４を介して出力装置３に送信し、記憶とバックアップのステップを実行する。そのうち、前記出力装置３はＡＶ端子を応用することによってビデオ・テープに記憶保存でき、また、ＵＳＢインターフェースまたはＩＥＥＥ１９３４仕様によってコンピュータ・ファイルに記憶し、またはＣＤにバックアップできる。
【００１５】
また、ネットワーク中継エンコーダ４を有し、それがメディア・プロデューサー（Ｍｅｄｉａ  Ｐｒｏｄｕｃｅｒ）・ソフトを応用し、それにはオートマチック・フロー・コントロール・プログラム４１と映像音声報告及び電子ホワイト・ボード同期コントロール・プログラム５を含み、前記ネットワーク中継エンコーダ４はＳＮＧ映像音声特効ホスト・マシン２からの映像音声データを受信すると共に、オートマチック・フロー・コントロール・プログラム４１を介して出来上がったデジタル映像音声データを自動的に例えばＷＭＶ（Ｗｉｎｄｏｗｓ（Ｒ）Ｍｅｄｉａ  Ｖｉｄｅｏ）＆ＷＭＡ（Ｗｉｎｄｏｗｓ（Ｒ）  Ｍｅｄｉａ  Ａｕｄｉｏ）デジタル映像音声ファイルまたはＭＰＥＧ４に転換し、フィルムと特効とをネットワークを介して同期教学または閲覧者の閲覧できる録画ファイルになるように再生し、前記オートマチック・フロー・コントロール・プログラム４１によって課程になるように制作を実行するか、教学内容の複雑な過程を簡素化し、フローのステップの方式によって使用者に対し、映像音声報告及びデジタル電子ホワイト・ボード同期コントロール・プログラムによって録画現場、プレゼンテーションソフトウェア（例えばマイクロソフト社製のＰｏｗｅｒＰｏｉｎｔ（Ｒ））、ワードプロセッサ（例えばマイクロソフト社製のＷｏｒｄ）、ＨＴＭＬ、或いはデジタル電子ホワイト・ボードなどのアプリケーション・プログラムを合わせることにより課程または教学内容の制作を実行するように協力し、それから自動的に出来上がったファイル・データをＷＭＶ＆ＷＭＡデジタル映像音声ファイルまたはＭＰＥＧ４に転換すると共に、映像音声サーバ６に送信する。
【００１６】
また、映像音声報告及びデジタル電子ホワイト・ボード同期コントロール・プログラム５を有し、それにはＰｏｗｅｒＰｏｉｎｔ（Ｒ）アプリケーションとデジタル電子ホワイト・ボード・アプリケーションとコンピュータ・モニタ出力インターフェースとを備え、オートマチック・フロー・コントロール・プログラム４１のフローのアレンジによって、当該ソフトウェアがＰｏｗｅｒＰｏｉｎｔ（Ｒ）（ＰＰＴ）、Ｗｏｒｄ、ＨＴＭＬ、或いはデジタル電子ホワイト・ボードなどを結合でき、ファイル整合データを生成できる。
【００１７】
また、映像音声サーバ６を有し、それにはウェブ・サーバ（Ｗｅｂ  Ｓｅｒｖｅｒ）・ファイル・データ管理サーバ６１とメディア・サーバ（Ｍｅｄｉａ  Ｓｅｖｅｒ）映像音声中継サーバ６２とを有し、そのうち、前記ウェブ・サーバ（Ｗｅｂ  Ｓｅｒｖｅｒ）・ファイル・データ管理サーバ６１はファイル・データが同期的にネットワークにおいて放送される場合にネットワーク中継エンコーダ４のマーカー（Ｍａｒｋｅｒ）注記プログラムとスクリプト（Ｓｃｒｉｐｔ）コマンド・プログラムによって現場ユーザーのそれぞれのコマンド動作と注記点とをレコーディングすると共に、放送終了後に一斉にファイルに記憶する。且つ、前記メディア・サーバ（Ｍｅｄｉａ  Ｓｅｖｅｒ）映像音声中継サーバ６２が同期放送終了後のファイルを当該ファイルのコマンドに応じてヒント出し欄形式に転換し、閲覧者がネットワーク上でファイル・データを閲覧する場合、前記ヒント出しデータが課程情報掲示板とＰＰＴ表示欄に表示され、ユーザーが直接的に閲覧しようとする段落をクリックすることにより閲覧でき、即時中継をサポートする目的とＶＯＤ（Ｖｉｄｅｏ  Ｏｎ  Ｄｅｍａｎｄ）による送信映像や音声やグラフィックや文字などを制作する目的を図れ、学習者に容易に教学と訓練の内容を了解させることができ、実績を倍にならせ、そのうち、ＶＯＤが同期放送である場合にファイル・データと現場操作コマンドとメモとを全部レコーディングしてから放送終了後に記憶すると共に、自動的にＶＯＤに転換する。
【００１８】
また、閲覧者コンピュータ７を有し、ホーム・ページ・ブラウザＩＥ（Ｉｎｔｅｒｎｅｔ  Ｅｘｐｌｏｒｅｒ（Ｒ））  Ｐｌａｙｅｒまたはマルチメディア再生プログラムＭｅｄｉａ  Ｐｌａｙｅｒを使用することによって直ちに本発明による教学または訓練課程を閲覧でき、余分に他のソフトウェアをインストールする必要はなく、且つ文字インターアクトエリアを介して講演者と即時的にコミュニケーションできる。
【００１９】
図２に示すように、閲覧者はマルチメディア再生プログラム７Ａによって講演者の映像と音声を閲覧でき、且つ再生や一時停止や快速放送や巻き戻しなどの機能を実行でき、課程情報掲示板とＰＰＴ表示欄７Ｂにフィルムのヘッダを表示でき、閲覧者はそのヘッダを選択的にクリックすることによって直接的に表示箇所に進入し、閲覧できる。閲覧者は同期中継を閲覧する場合に、文字インターアクトエリア７Ｃを介して講演者と双方向の同期インターアクトを実行でき、問題を文字インターアクトエリア７Ｃに入力し、またはＲｅｓｅｔキー７Ｅによってその入力データを削除でき、またはＳｅｎｄキー７Ｄによって入力データを送信でき、講演者の文字インターアクトエリア７Ｃが即時に表示を受け取ることができ、同期教学の場合では、直ちに閲覧者の問題に対し返答できると共に、問題を解決できる。閲覧意見出しボタン７Ｆによって目前の自己からの、または他の閲覧者からの出した問題を閲覧でき、講演者端とインターアクトできる。インターフェースの表示のバー（Ｂａｒ）７Ｇは使用単位の名称を表示でき、ＰｏｗｅｒＰｏｉｎｔ（Ｒ）アプリケーション出力インターフェース７Ｈは講演者のフィルム・ファイル、ＨＴＭＬフォーマット・ファイル、ＰｏｗｅｒＰｏｉｎｔ（Ｒ）ファイル、或いはＷｏｒｄファイルなどを表示でき、音声や映像やグラフィックや文字などを同時に閲覧者端のモニタに表示できる。
【００２０】
【発明の効果】
本発明によるＳＮＧネットワーク・アクティブ・スタジオの生放送方法及びそのシステムによる場合、下記のような優れる点を有する。
教学または訓練課程をネットワークにおいて即時の実況中継を実行でき、且つ実行終了後に自動的にビデオ・ファイルに転換でき、閲覧者がいつでもクリックすることによって閲覧でき、時間と場所の制限を受けない。
本システムは操作しやすく、且つ携帯に便利であり、現有の撮影装置とＰＣとネットワーク・コードなどの教学訓練設備を結合するだけで、直ちにネットワーク上で授業を実行できる。
複数セットの映像及び音声端子によって映像音声を整合できると共に、特効処理を実行でき、課程の内容を豊かにすることができ、学習者の学習興味と学習効果を向上できる。
閲覧者端は他のソフトウェアをインストールする必要はなく、マルチメディアプログラムだけあればネットワーク上で閲覧できる。
ネットワークにおいて同期教学を実行する閲覧者端は講演者端と文字や映像などの手段を介してインターアクトでき、学習の障害をなくすことができる。
本発明を介して遠方教学やミーティングや課程訓練や検討会などの場合に使用でき、学習に環境の影響を受けないようにさせることができる。
【００２１】
前記に詳細に説明したのは、本発明の実施可能な実施例に過ぎなく、当該実施例は本発明の主張範囲を狭義的に制限するものではなく、本発明の技術要旨に基づいて実施されるすべての改造や変更や一部転用などがすべて本発明の主張範囲内に納入されるべき事がいうまでもないことであり、前記に説明したように本考案は技術思想において新規な発明を有し、且つ新規性と進歩性に富み、既に特許の要件を満たすものである。
【図面の簡単な説明】
【図１】本発明に係るＳＮＧネットワーク・アクティブ・スタジオの生放送方法及びそのシステムを示す説明図である。
【図２】本発明に係るＳＮＧネットワーク・アクティブ・スタジオの生放送方法及びそのシステムの閲覧端のコンピュータと中継実況をモニタに表示することを示す説明図である。
【符号の説明】
１      映像音声入力装置
１Ａ    映像入力装置
１Ｂ    音声入力装置
１１    映像音声入力端子
２      ＳＮＧ映像音声特効ホスト・マシン
２１    映像受信手段
２２    音声受信手段
２３    デジタル特効手段
２４    出力インターフェース
３      出力装置
４      ネットワーク中継エンコーダ
４１    オートマチック・フロー・コントロール・プログラム
４２    圧縮プログラム
５      映像音声報告及びデジタルホワイトボード同期コントロール・プログラム
５１    ＰｏｗｅｒＰｏｉｎｔ（Ｒ）アプリケーション
５２    デジタル電子ホワイト・ボード・アプリケーション
５３    コンピュータ・モニタ出力インターフェース
６      映像音声サーバ
６１    ウェブ・サーバ（Ｗｅｂ  Ｓｅｒｖｅｒ）・ファイル・データ管理サーバ
６２    メディア・サーバ（Ｍｅｄｉａ  Ｓｅｖｅｒ）映像音声中継サーバ
７      閲覧者コンピュータ
７Ａ    マルチメディア再生プログラム
７Ｂ    課程情報掲示板とＰＰＴ表示欄
７Ｃ    文字インターアクトエリア
７Ｄ    Ｓｅｎｄキー
７Ｅ    Ｒｅｓｅｔキー
７Ｆ    閲覧者意見出しキー
７Ｇ    表示バー
７Ｈ    ＰｏｗｅｒＰｏｉｎｔ（Ｒ）アプリケーション・インターフェース
【図１】
2004336364.tif 000003
【図２】
2004336364.tif 000004